(57)【要約】  容量学習（ｒｅｃａｌｉｂｒａｔｉｎｇ）を容易に行いながら、容量学習を行っている期間中にも電力を供給することが可能な蓄電ユニット、蓄電池の容量値の補正方法および蓄電システムを提供する。  この蓄電ユニットでは、制御部は、複数のスイッチのうち一部のスイッチをオンすることにより、複数の蓄電池のうち一部の蓄電池を補正対象として充放電経路に接続するとともに、他のスイッチをオフすることにより、他の蓄電池を充放電経路から切り離した状態で、一部の蓄電池を充放電させて一部の蓄電池の容量値を補正する。
2011122592.tif 000002
【特許請求の範囲】
【請求項１】
充放電経路と複数のスイッチを介して並列に接続される複数の蓄電池と、
前記複数のスイッチのオン／オフを制御する制御部とを備え、
前記制御部は、前記複数のスイッチのうち一部のスイッチをオンすることにより、前記複数の蓄電池のうち一部の蓄電池を補正対象として前記充放電経路に接続するとともに、他のスイッチをオフすることにより、他の蓄電池を前記充放電経路から切り離した状態で、前記一部の蓄電池を充放電させて前記一部の蓄電池の容量値を補正する、蓄電ユニット。
【請求項２】
前記制御部は、前記一部の蓄電池の容量値の補正を行った後に、前記一部のスイッチをオフし、前記他のスイッチの少なくとも一部をオンすることにより、前記他の蓄電池の少なくとも一部を前記充放電経路に接続して、前記他の蓄電池の少なくとも一部の容量値を補正する、請求項１に記載の蓄電ユニット。
【請求項３】
前記複数の蓄電池に充電された電力は、電力系統には放電されずに、前記充放電経路に接続された負荷に放電される、請求項１に記載の蓄電ユニット。
【請求項４】
前記複数の蓄電池は、前記充放電経路に接続される電力系統と再生可能エネルギーを用いて発電する発電装置とのうちの少なくとも一方により充電される、請求項１に記載の蓄電ユニット。
【請求項５】
充放電経路と複数のスイッチを介して並列に接続される複数の蓄電池の容量値の補正方法であって、
前記複数のスイッチを制御して、前記複数の蓄電池のうち一部の蓄電池を補正対象として前記充放電経路に接続するとともに、他の蓄電池を前記充放電経路から切り離すステップと、
前記一部の蓄電池を略完全に放電させて前記一部の蓄電池の容量の下限値を補正するステップと、
前記一部の蓄電池を略完全に充電して前記一部の蓄電池の容量の上限値を補正するステップとを含む、蓄電池の容量値の補正方法。
【請求項６】
前記一部の蓄電池の容量の上限値を補正するステップは、
前記一部の蓄電池の充電を開始するステップと、
前記一部の蓄電池の電圧と前記他の蓄電池の電圧とを比較するステップと、
前記比較の結果が略等しい場合、前記複数のスイッチを制御して前記他の蓄電池を前記充放電経路に接続するステップと、
前記一部の蓄電池と前記他の蓄電池とを略完全に充電して前記一部の蓄電池の容量の上限値を補正するステップとを含む、請求項５に記載の蓄電池の容量値の補正方法。
【請求項７】
前記複数のスイッチを制御して、前記一部の蓄電池を前記充放電経路から切り離し、前記他の蓄電池を前記充放電経路に接続するステップと、
前記他の蓄電池を充電し、満充電になったか否かを判断するステップと、
前記判断の結果が満充電であった場合、前記複数のスイッチを制御して前記一方の蓄電池を前記充放電経路に接続するステップとをさらに含む、請求項５に記載の蓄電池の容量値の補正方法。
【請求項８】
電力系統と再生可能エネルギーを用いて発電する発電装置と負荷とが接続される充放電経路と、
前記充放電経路と複数のスイッチを介して並列に接続される複数の蓄電池と、前記複数のスイッチのオン／オフを制御することにより前記複数の蓄電池の充放電を制御する制御部とを含む蓄電ユニットとを備え、
前記蓄電ユニットの前記制御部は、前記複数のスイッチのうち一部のスイッチをオンすることにより、前記複数の蓄電池のうちの一部の蓄電池を補正対象として前記充放電経路に接続するとともに、他のスイッチをオフすることにより、他の蓄電池を前記充放電経路から切り離した状態で、前記一部の蓄電池から前記負荷に放電した後、前記電力系統と前記発電装置との少なくとも一方から前記一部の蓄電池を充電することにより、前記一部の蓄電池の容量値を補正する、蓄電システム。
【請求項９】
前記制御部は、前記一部の蓄電池の容量値の補正を行った後に、前記一部のスイッチをオフし、前記他のスイッチの少なくとも一部をオンすることにより、前記他の蓄電池の少なくとも一部を前記充放電経路に接続して、前記他の蓄電池の少なくとも一部の容量値を補正する、請求項８に記載の蓄電システム。
【請求項１０】
前記複数の蓄電池に充電された電力は、電力系統には放電されずに、前記充放電経路に接続された負荷に放電される、請求項８に記載の蓄電システム。
【発明の詳細な説明】
【技術分野】
【０００１】
本発明は、蓄電ユニット、蓄電池の容量値の補正方法および蓄電システムに関し、特に、複数の蓄電池を備える蓄電ユニット、蓄電池の容量値の補正方法および蓄電システムに関する。
【背景技術】
【０００２】
従来より、再生可能エネルギーや、夜間電力などを有効に利用するために、蓄電池を利用したシステムが実用化されている。蓄電池としては、充放電効率などの面で優れているニッケル水素蓄電池やリチウムイオン蓄電池が用いられている一方、これらの蓄電池は、鉛蓄電池のように電圧による蓄電池の残量の管理が困難であることが知られている。このため、ニッケル水素蓄電池やリチウムイオン蓄電池では、残量計を具備した電池が開発されており、残量計によって蓄電池の残量や蓄電池の劣化などの管理が行われている。しかし、残量計は、誤差を生じることが知られており、定期的に残量計の誤差を補正するための手段（リキャリブレーション、容量学習）が提案されている。このような残量計の誤差を補正するための手段は、たとえば、特開２００８−２７１７５９号公報に開示されている。【０００３】
上記特開２００８−２７１７５９号公報では、２次電池を強制放電させて放電後の２次電池の容量（下限容量）を補正するとともに、２次電池を充電して充電後の容量（上限容量）を補正することにより、リキャリブレーション（容量学習）を行う方法が開示されている。【０００４】
また、従来、再生可能エネルギーや夜間電力などを蓄電する蓄電システムは、日照不足時や停電時などにも蓄電システムが稼動できるように、また、放電深度があまり高くならないようにして蓄電池の長寿命化を図る目的などのために、想定される負荷が消費する電力量よりも大容量の電力が蓄電可能となるように複数の蓄電池を具備することが多い。
【先行技術文献】
【特許文献】
【０００５】
【特許文献１】特開２００８−２７１７５９号公報
【発明の概要】
【発明が解決しようとする課題】
【０００６】
しかしながら、従来の複数の蓄電池からなる大容量の蓄電池群において、上記特開２００８−２７１７５９号公報に記載の容量学習の方法を用いる場合では、複数の蓄電池の全体の容量が大きいために、蓄電池を完全に放電させるには相当な時間を要する。このため、たとえば日照がない場合の保証として負荷の消費電力の複数日分に相当する電力量を蓄電するような街路灯など、負荷の消費電力量よりも大容量の蓄電池群を有する蓄電システムでは、電力の消費がなされるたとえば夜間一晩では完全に放電が行われないという不都合がある。その結果、蓄電池群を完全に放電するために、長時間にわたって放電を行うことが必要になり、かつ、その間も再生可能エネルギーなどからの充電が行われるので、容量学習を行うのが困難であるという問題点がある。また、上記特開２００８−２７１７５９号公報に記載の容量学習の方法では、容量学習を行うために蓄電池群を完全放電させるため、蓄電池群を完全に放電させた際には、蓄電池群から電力を供給することができないという問題点がある。【０００７】
この発明は、上記のような課題を解決するためになされたものであり、この発明の１つの目的は、容量学習を容易に行いながら、容量学習を行っている期間中にも電力を供給することが可能な蓄電ユニット、蓄電池の容量値の補正方法および蓄電システムを提供することである。
【課題を解決するための手段】
【０００８】
上記目的を達成するために、この発明の第１の局面による蓄電ユニットは、充放電経路と複数のスイッチを介して並列に接続される複数の蓄電池と、複数のスイッチのオン／オフを制御する制御部とを備え、制御部は、複数のスイッチのうち一部のスイッチをオンすることにより、複数の蓄電池のうち一部の蓄電池を補正対象として充放電経路に接続するとともに、他のスイッチをオフすることにより、他の蓄電池を充放電経路から切り離した状態で、一部の蓄電池を充放電させて一部の蓄電池の容量値を補正する。【０００９】
この発明の第２の局面による蓄電池の容量値の補正方法は、充放電経路と複数のスイッチを介して並列に接続される複数の蓄電池の容量値の補正方法であって、複数のスイッチを制御して、複数の蓄電池のうち一部の蓄電池を補正対象として充放電経路に接続するとともに、他の蓄電池を充放電経路から切り離すステップと、一部の蓄電池を略完全に放電させて一部の蓄電池の容量の下限値を補正するステップと、一部の蓄電池を略完全に充電して一部の蓄電池の容量の上限値を補正するステップとを含む。【００１０】
この発明の第３の局面による蓄電システムは、電力系統と再生可能エネルギーを用いて発電する発電装置と負荷とが接続される充放電経路と、充放電経路と複数のスイッチを介して並列に接続される複数の蓄電池と、複数のスイッチのオン／オフを制御することにより複数の蓄電池の充放電を制御する制御部とを含む蓄電ユニットとを備え、蓄電ユニットの制御部は、複数のスイッチのうち一部のスイッチをオンすることにより、複数の蓄電池のうちの一部の蓄電池を補正対象として充放電経路に接続するとともに、他のスイッチをオフすることにより、他の蓄電池を充放電経路から切り離した状態で、一部の蓄電池から負荷に放電した後、電力系統と発電装置との少なくとも一方から一部の蓄電池を充電することにより、一部の蓄電池の容量値を補正する。
【発明の効果】
【００１１】
本発明では、上記のように、複数の蓄電池のうちの一部の蓄電池を補正対象として充放電経路に接続するとともに、他の蓄電池を補正対象外として充放電経路から切り離した状態で、補正対象としての一部の蓄電池を充放電させることにより、補正対象としての一部の蓄電池の容量値を補正することによって、複数の蓄電池を一斉に充放電させることにより容量値の補正を行う場合と異なり、蓄電池の充放電に要する時間を短くすることができるので、停電時などの長時間にわたって放電を行うことが可能な時以外でも比較的容易に一部の蓄電池の容量値の補正を行うことができる。また、補正対象としての一部の蓄電池を放電させることにより、一部の蓄電池の容量値を補正することによって、補正対象外の他の蓄電池には電力が保持されているので、一部の蓄電池の容量値を補正している際、あるいは一部の蓄電池が完全に放電された場合でも、他の蓄電池から電力を供給することができる。なお、ここでいう蓄電池は単セルに限らず、複数の単セルおよび残量計などを１組のパックとして形成された組電池も含む。
【図面の簡単な説明】
【００１２】
【図１】本発明の第１実施形態による蓄電システムの構成を示すブロック図である。
【図２】本発明の第１実施形態による蓄電システムの蓄電ユニットを示す斜視図である。
【図３】本発明の第１実施形態による蓄電システムの蓄電ユニットを示す上面図である。
【図４】本発明の第１実施形態による蓄電ユニットの容量学習の動作を説明するためのフロー図である。
【図５】本発明の第１実施形態による蓄電ユニットの３つのリチウムイオン蓄電池が接続された状態を示す回路図である。
【図６】本発明の第１実施形態による蓄電ユニットの補正対象であるリチウムイオン蓄電池の放電時の回路図である。
【図７】本発明の第１実施形態による蓄電ユニットの補正対象外のリチウムイオン蓄電池が接続された状態を示す回路図である。
【図８】本発明の第１実施形態による蓄電ユニットの補正対象であるリチウムイオン蓄電池の充電時の回路図である。
【図９】本発明の第２実施形態による蓄電ユニットの容量学習の動作を説明するためのフロー図である。
【図１０】本発明の第３実施形態による蓄電システムの構成を示すブロック図である。
【図１１】本発明の第１〜第３実施形態の変形例による蓄電部の構成を示すブロック図である。
【発明を実施するための形態】
【００１３】
以下、本発明の実施形態を図面に基づいて説明する。
【００１４】
（第１実施形態）
まず、図１を参照して、本発明の第１実施形態による蓄電システム１の構成について説明する。
【００１５】
本発明の第１実施形態による蓄電システム１は、図１に示すように、太陽光を用いて発電した電力を出力する発電電力出力部２と、電力系統５０に接続され、発電電力出力部２により出力された電力を出力するインバータ３と、インバータ３および電力系統５０を接続する母線４とを備えている。また、母線４上には、発電電力出力部２の出力電力量（太陽光発電モジュール２１の発電電力量）を検知する電力検知部５と、蓄電システム１に出入りする電力（売電・買電電力）を検知する電力検知部６とが設けられている。また、母線４には配線７ａを介して蓄電部７１を含む蓄電ユニット７が接続されており、蓄電ユニット７には配線７ｂを介して特定負荷６０が接続されている。また、母線４には一般負荷７０が接続されている。なお、母線４、配線７ａおよび配線７ｂは、本発明の「充放電経路」の一例である。また、特定負荷６０は、本発明の「負荷」の一例である。
【００１６】
インバータ３は、発電電力出力部２から出力された直流の電力を交流に変換する機能を有している。発電電力出力部２によって発電された電力は、インバータ３を介して蓄電ユニット７、一般負荷７０あるいは電力系統５０に供給される。
【００１７】
特定負荷６０は、交流電源によって駆動される機器である。特定負荷６０には、常に電源から電力が供給されていることが望まれ、常時動作する必要のある機器が含まれる。また、通常は蓄電ユニット７の蓄電部７１により特定負荷６０に対して給電が行われ、蓄電部７１の電力がなくなった時には母線４側から電力が供給される。また、一般負荷７０も交流電源によって駆動される機器である。一般負荷７０には、発電電力出力部２からの電力がインバータ３を介して供給されるとともに、電力系統５０からも電力が供給される。
【００１８】
なお、第１実施形態では、特定負荷６０は、照明器具や常時動作する機器などである。このため、負荷の消費電力量は限られており、蓄電部７１の容量は、この消費電力量に応じて適切な容量が選択される。たとえば、特定負荷６０で１日に使用される電力量の２倍以上になるようにする。これにより、日照不足により発電電力出力部２からの発電がない場合や、停電時の場合などでもある程度の期間、特定負荷６０に電力を供給することが可能となる。なお、特定負荷６０として、コンセントを選択してもよい。この場合、たとえばインバータ７４ａの上限の容量を考慮して蓄電容量を設計すればよい。
【００１９】
発電電力出力部２は、互いに電気的に接続された複数（第１実施形態では、５つ）の太陽光発電モジュール２１を含んでいる。なお、太陽光発電モジュール２１は、本発明の「発電モジュール」の一例である。太陽光発電モジュール２１は、薄膜系や結晶系、或いは化合物半導体系など、種々の太陽電池を用いて構成することができる。
【００２０】
次に、蓄電ユニット７の構成について説明する。
【００２１】
図１に示すように、蓄電ユニット７は、母線４側からの電力を蓄電する蓄電部７１と、電力を交流から直流に変換するＡＣ−ＤＣコンバータ７２と、蓄電部７１の充放電を制御するための充放電制御ボックス７３と、蓄電部７１から特定負荷６０側に電力を供給するためのインバータユニット７４と、蓄電部７１、ＡＣ−ＤＣコンバータ７２および充放電制御ボックス７３などの機器の制御を行うコントロールボックス７５とを主に備えている。これらの機器は、筐体７６の内部にまとめて収納されており、１つのユニットとして扱うことが可能である。
【００２２】
また、この蓄電ユニット７は、屋外に設置されている。蓄電ユニット７は、母線４側から電力を受け取るための配線７ａと、特定負荷６０に電力を供給するための配線７ｂとを有している。
【００２３】
また、蓄電部７１としては、自然放電が少なく、充放電効率の高い２次電池（たとえば、リチウムイオン蓄電池）が用いられている。
【００２４】
具体的には、第１実施形態では、蓄電部７１は、並列に接続された３つのリチウムイオン蓄電池７１１ａ〜７１１ｃを含んでいる。なお、リチウムイオン蓄電池７１１ａ〜７１１ｃの定格電圧は略等しい。３つのリチウムイオン蓄電池７１１ａ、７１１ｂおよび７１１ｃのそれぞれの端子には、スイッチ７１２ａ、７１２ｂおよび７１２ｃが接続されている。そして、スイッチ７１２ａ〜７１２ｃがオンになることにより、リチウムイオン蓄電池７１１ａ〜７１１ｃが母線４または特定負荷６０に接続される。なお、スイッチ７１２ａ〜７１２ｃのオン／オフは、コントロールボックス７５によって制御される。なお、ここでいうリチウムイオン蓄電池は単セルに限らず、複数の単セルおよび残量計などを１組のパックとして形成された組電池も含む。
【００２５】
充放電制御ボックス７３は、コントロールボックス７５によりオン／オフの切り替えが可能な３つのスイッチ７３ａ、７３ｂおよび７３ｃを含んでいる。スイッチ７３ａおよび７３ｂは、ＡＣ−ＤＣコンバータ７２と蓄電部７１との間の充放電経路において直列に接続されている。またスイッチ７３ａと並列に設けられたバイパス経路上に、ＡＣ−ＤＣコンバータ７２から蓄電部７１に向かう方向に電流を整流するダイオード７３ｄが設けられている。スイッチ７３ｃは、蓄電部７１とインバータユニット７４との間の放電経路に設けられている。
【００２６】
母線４側から蓄電部７１に充電する場合には、まずスイッチ７３ｂがオンにされ、次いでスイッチ７３ａがオンにされる。これにより、ＡＣ−ＤＣコンバータ７２が起動直後であってその出力電圧が低い場合に生じる、蓄電部７１からＡＣ−ＤＣコンバータ７２への逆流を、ダイオード７３ｄによって防止することが可能である。
【００２７】
また、蓄電部７１からインバータユニット７４を介して特定負荷６０に放電する場合には、スイッチ７３ｃがオンにされる。また、スイッチ７３ａをオフにし、次いでスイッチ７３ｂをオフにする。この場合にも同様に、蓄電部７１からＡＣ−ＤＣコンバータ７２への逆流をダイオード７３ｄによって防止することが可能である。なお、スイッチ７３ａ、７３ｂおよび７３ｃの全てがオンにされた場合には、蓄電部７１の充電と放電との両方を行うことが可能である。
【００２８】
インバータユニット７４は、直流電力を出力する蓄電部７１の電力を交流電源で駆動される特定負荷６０に供給するための直流−交流変換器としてのインバータ７４ａと、オン／オフの切り替えが可能なスイッチ７４ｂとを含んでいる。スイッチ７４ｂは、配線７ａと配線７ｂとの間に設けられている。スイッチ７４ｂは通常オフになっており、インバータユニット７４は、インバータ７４ａに電力が供給されない場合、好ましくは、インバータ７４ａに所定の電圧以上の電力が供給されていない場合に、スイッチ７４ｂをオンにする。
【００２９】
また、配線７ａとスイッチ７４ｂとの接点と、ＡＣ−ＤＣコンバータ７２との間には、オン／オフの切り替えが可能なスイッチ７７が設けられている。このスイッチ７７は、コントロールボックス７５内に設けられた温度センサ７５ａの温度に応じてオン／オフが切り替わる。すなわち、温度センサ７５ａの温度が所定の温度（たとえば、約７０度）以下である場合にはスイッチ７７はオンとなり、母線４側からの電力がＡＣ−ＤＣコンバータ７２に供給される。また、温度センサ７５ａの温度が所定の温度を上回った場合にはスイッチ７７はオフとなり、母線４側とＡＣ−ＤＣコンバータ７２との電気的な接続が切断される。スイッチ７７のオン／オフは、コントロールボックス７５によって制御される。
【００３０】
なお、コントロールボックス７５の電力は、スイッチ７７とＡＣ−ＤＣコンバータ７２との間の配線から取っているので、スイッチ７７がオフになった場合には、電源がなくなることによりコントロールボックス７５の駆動も自動的に停止する。また、コントロールボックス７５が停止した場合、ＡＣ−ＤＣコンバータ７２からの出力がオフにされ（ＡＣ−ＤＣコンバータ７２への電力供給も断たれている）、スイッチ７３ａおよび７３ｃがオフにされる。スイッチ７３ｃがオフにされることによって、インバータ７４ａへの電力供給が断たれる。インバータ７４ａへの電力供給が断たれるので、上述のようにスイッチ７４ｂはオンになる。スイッチ７４ｂをオンにすることにより、配線７ａ、スイッチ７４ｂおよび配線７ｂを介した電流経路を介して、母線４側からの電力を蓄電部７１を介さずに特定負荷６０に供給することが可能となる。なお、コントロールボックス７５の電力はリチウムイオン蓄電池から取るようにしてもよい。この場合、系統から電力が供給されなくても、コントロールボックス７５にはリチウムイオン蓄電池から動作用電力が供給されているために、より適切に各スイッチを切り替えるようにすることができる。
【００３１】
また、筐体７６の内部には、温度センサ７８と排気ファン７９とがさらに設けられている。温度センサ７８の検知温度が所定の温度（約４０℃）以上になった場合に、排気ファン７９が駆動されることにより、筐体７６の内部の熱を排出することが可能である。なお、温度センサ７８および排気ファン７９は、筐体７６内の他の機器（蓄電部７１、コントロールボックス７５など）とは接続されておらず、また電源は配線７ａから取って駆動される。このため、温度センサ７８および排気ファン７９は、スイッチ７７がオフになった場合にも、筐体７６内の他の機器（蓄電部７１、コントロールボックス７５など）から電気的に独立して動作を行う。
【００３２】
また、コントロールボックス７５は、蓄電部７１の蓄電量、温度センサ７５ａの検知結果、現在時刻（深夜時間帯であるか否か）などに基づいて、ＡＣ−ＤＣコンバータ７２の出力、充放電制御ボックス７３のスイッチ７３ａ〜７３ｃ、インバータユニット７４のスイッチ７４ｂおよびスイッチ７７などのオン／オフなどを制御する機能を有する。具体的には、コントロールボックス７５は、温度センサ７５ａの検知結果に基づいて、筐体７６の内部の温度が所定の温度（たとえば、コントロールボックス７５の内部の温度が約７０℃）以上であると判断した場合に、異常発熱状態であると判断して、スイッチ７４ｂをオンに、スイッチ７７をオフにする。これにより、筐体７６内の各機器が受ける熱的なダメージを低減することが可能である。また、正常状態（異常発熱状態ではない状態）では、所定のプログラムなどに基づき、充放電制御ボックス７３、ＡＣ−ＤＣコンバータ７２、インバータユニット７４のスイッチ７４ｂなどの各スイッチのオン／オフを制御する。
【００３３】
コントロールボックス７５は、通常運転時、たとえば、深夜においては電力系統５０から蓄電部７１に充電を行い、特定負荷６０に電力を供給する必要が生じたときには昼夜を問わず蓄電部７１から特定負荷６０に電力を供給するように、各スイッチを制御する。母線４側から蓄電部７１に電力を供給して蓄電部７１を充電する際の電流経路は、配線７ａ、スイッチ７７、ＡＣ−ＤＣコンバータ７２、スイッチ７３ａおよびスイッチ７３ｂを通る経路である。また、蓄電部７１が放電して特定負荷６０に電力を供給する際の電流経路は、スイッチ７３ｃ、インバータ７４ａおよび配線７ｂを通る経路である。なお、蓄電部７１に蓄電された電力は電力系統５０には供給されない。
【００３４】
ここで、第１実施形態では、コントロールボックス７５は、蓄電部７１のリチウムイオン蓄電池７１１ａ、７１１ｂおよび７１１ｃの容量学習の際の放電時には、リチウムイオン蓄電池７１１ａ〜７１１ｃから特定負荷６０に電力が放電されるように、各スイッチを制御する。また、コントロールボックス７５は、リチウムイオン蓄電池７１１ａ〜７１１ｃの容量学習の際の充電時には、発電電力出力部２または電力系統５０から供給される電力によりリチウムイオン蓄電池７１１ａ〜７１１ｃが充電されるように、各スイッチを制御する。
【００３５】
コントロールボックス７５は、蓄電部７１のスイッチ７１２ａ〜７１２ｃをオン／オフさせることにより、補正（容量学習）対象として一部のリチウムイオン蓄電池（たとえばリチウムイオン蓄電池７１１ｃ）を母線４または特定負荷６０に接続するとともに、他のリチウムイオン蓄電池（たとえばリチウムイオン蓄電池７１１ａおよび７１１ｂ）を補正対象外として母線４または特定負荷６０から切り離した状態で、補正対象としてのリチウムイオン蓄電池７１１ｃを充放電させることにより、補正対象としてのリチウムイオン蓄電池７１１ｃの容量値を補正する。また、コントロールボックス７５は、補正対象としての１つのリチウムイオン蓄電池７１１ｃの容量値の補正を行った後に、補正対象外として充放電経路から切り離されていたリチウムイオン蓄電池７１１ａおよび７１１ｂを母線４または特定負荷６０に接続して、リチウムイオン蓄電池７１１ａおよび７１１ｂを次の補正対象として順次容量値の補正を行うことにより、３つのリチウムイオン蓄電池７１１ａ〜７１１ｃの全ての容量値の補正を行う。
【００３６】
また、第１実施形態では、コントロールボックス７５は、補正対象としての一部のリチウムイオン蓄電池（たとえばリチウムイオン蓄電池７１１ｃ）を略完全に放電させて、リチウムイオン蓄電池７１１ｃの容量の下限値を補正した後に、リチウムイオン蓄電池７１１ｃの充電を開始して、リチウムイオン蓄電池７１１ｃの電圧が補正対象外としての他のリチウムイオン蓄電池（たとえばリチウムイオン蓄電池７１１ａおよび７１１ｂ）の電圧と略等しくなった場合に、リチウムイオン蓄電池７１１ｃとともにリチウムイオン蓄電池７１１ａおよび７１１ｂを母線４または特定負荷６０に接続する。その後、コントロールボックス７５は、補正対象としてのリチウムイオン蓄電池７１１ｃと補正対象外としてのリチウムイオン蓄電池７１１ａおよび７１１ｂとが母線４に接続された状態で、リチウムイオン蓄電池７１１ｃを略完全に充電することにより、リチウムイオン蓄電池７１１ｃの容量の上限値を補正する。なお、このとき、リチウムイオン蓄電池７１１ａおよび７１１ｂも同時に充電される。ここで、蓄電池を完全に放電させる／充電するとは、蓄電池の特性やシステムとしての性能を考慮して、ユーザなどが任意に設定した状態まで蓄電池を放電させる／充電することを意味する。たとえば、蓄電池の特性として満充電が４．２Ｖのリチウムイオン蓄電池の場合、完全放電を蓄電池の端子間電圧が３Ｖになった状態／完全充電（満充電）を蓄電池の端子間電圧が４Ｖになった状態として設定することができる。さらに、略完全に放電させる/充電するとは、補正ポイントである容量の下限値・上限値まで放電させる/充電させることを意味する。たとえば、補正ポイントはユーザなどが任意に設定した完全放電状態（３Ｖ ：ＳＯＣ＝０％に相当）、満充電状態（４Ｖ：ＳＯＣ＝１００％に相当）と必ずしも一致してなくてもよく、たとえばＳＯＣ＝５％に相当する電圧に到達した場合に下限値補正を行ってもよい。この場合、ＳＯＣ＝５％相当まで放電することを略完全に放電すると表現する。
【００３７】
また、コントロールボックス７５は、通常運転時に蓄電部７１の放電を行う場合に、蓄電部７１の容量が放電禁止閾値（たとえば、満充電状態の５０％）以下にならないように蓄電部７１の放電を制御する。なお、放電禁止閾値は、特定負荷６０の消費電力量を考慮して適宜設定すればよい。たとえば、特定負荷６０で消費される数日分あるいは１日分の電力量を賄えるように放電禁止閾値を設定することができる。コントロールボックス７５は、蓄電部７１の容量が放電禁止閾値以下になったと判断した場合には、蓄電部７１から特定負荷６０に電力を供給するのを停止するとともに、母線４から直接特定負荷６０に電力を供給するように各スイッチを切り替える。
【００３８】
また、停電時などの非常時には、電力系統５０からの電力の供給が停止するので、コントロールボックス７５が停止される。また、スイッチ７７、スイッチ７３ａおよび７３ｂがオフにされる。これにより、ＡＣ−ＤＣコンバータ７２にも電力が供給されないので、ＡＣ−ＤＣコンバータ７２の駆動も停止される。また、スイッチ７３ｃには配線７ａの電圧線信号が入力されており、停電した場合には、配線７ａに電圧がかかっていないことを検知して、スイッチ７３ｃがオンになる。そのため、インバータ７４ａは、蓄電部７１からの電力供給によって稼動することで、特定負荷６０への電力供給が可能になる。
【００３９】
また、通常運転時に蓄電部７１の残容量が放電禁止閾値（たとえば、５０％）以下にならないように放電を制御している。この結果、停電時などの非常時における蓄電部７１の特定負荷６０への放電開始時には、蓄電部７１に必ず放電禁止閾値（満充電状態の５０％）より大きい電力が蓄電されている。ここで、停電時においては、配線７ａに電圧がかかっていないことを検知して、スイッチ７３ｃがオンになるため、蓄電部７１の蓄電量が放電禁止閾値（満充電状態の５０％）以下になっても放電する。この実施形態では、蓄電部７１としてリチウムイオン蓄電池を用いるので、サルフェージョンにより完全放電することが望まれない鉛蓄電池とは異なり、蓄電量のほとんどの部分を放電することができる。非常時にはコントロールボックス７５への電力の供給が断たれており、途中でスイッチ７３ｃのオン／オフの切り替えは不可能であるが、たとえばリチウムイオン蓄電池を用いることによって蓄電電力を有効に利用することが可能である。
【００４０】
次に、蓄電ユニット７の物理的な構成（各機器の配置など）を説明する。
【００４１】
図２、図３に示すように、蓄電ユニット７は、箱状の筐体７６内に箱状の３つのリチウムイオン蓄電池７１１ａ〜７１１ｃと、箱状の充放電制御ボックス７３と、箱状のコントロールボックス７５と、インバータユニット７４およびＡＣ−ＤＣコンバータ７２を有する箱状の電力変換ユニット７００とが収納されている。リチウムイオン蓄電池７１１ａ〜７１１ｃは、内部で多数のリチウムイオン蓄電池セルを、たとえば、直列および並列に接続したパック状の蓄電池ユニットである。３つのリチウムイオン蓄電池７１１ａ〜７１１ｃから蓄電部７１が構成されている。これらの５個の機器（３つのリチウムイオン蓄電池７１１ａ〜７１１ｃ、充放電制御ボックス７３、コントロールボックス７５および電力変換ユニット７００）は、横方向に隣接するように並べて配置されている。図３に示すように、コントロールボックス７５と電力変換ユニット７００とは隣接している。電力変換ユニット７００において、インバータユニット７４はコントロールボックス７５側に配置されている。すなわち、ＡＣ−ＤＣコンバータ７２はコントロールボックス７５に対してインバータユニット７４を介して離間した位置に配置されている。コントロールボックス７５の温度センサ７５ａは、インバータユニット７４側に配置されている。排気ファン７９は、筐体７６の上部の側面に設けられており、温度センサ７８は、排気ファン７９に隣接した位置に配置されている。
【００４２】
筐体７６の内部に蓄えられた熱は、筐体７６内の温度が所定の温度（約４０℃）よりも高い場合に、排気ファン７９によって筐体７６の上部から排出される。また、各リチウムイオン蓄電池７１１、充放電制御ボックス７３および電力変換ユニット７００には、各機器の状態（たとえば、温度状態など）をコントロールボックス７５に通信するための通信部（図示せず）が設けられている。各リチウムイオン蓄電池７１１ａ〜７１１ｃの通信部同士は、直列に数珠つなぎ状にデイジーチェーン（ｄａｉｓｙ  ｃｈａｉｎ）接続され、３つのリチウムイオン蓄電池７１１ａ〜７１１ｃが一体として扱われる。
【００４３】
次に、図４〜図８を参照して、第１実施形態による蓄電ユニット７のリチウムイオン蓄電池７１１ａ〜７１１ｃの容量学習時のコントロールボックス７５の動作について説明する。リチウムイオン蓄電池７１１ａ〜７１１ｃの容量学習は、たとえば３ヶ月毎に行われる。この際、リチウムイオン蓄電池７１１ａ〜７１１ｃの容量学習を３ヶ月のうちのたとえば連続した３日間において、１日に１つずつリチウムイオン蓄電池の容量学習を行う。
【００４４】
まず、通常運転時では、図５に示すように、スイッチ７１２ａ〜７１２ｃがそれぞれオンにされており、リチウムイオン蓄電池７１１ａ〜７１１ｃが、充放電制御ボックス７３を介して特定負荷６０（母線４）に接続されている。そして、リチウムイオン蓄電池７１１ａ〜７１１ｃの容量学習を行う場合では、図４のステップＳ１において、容量学習（補正）の対象となるリチウムイオン蓄電池７１１ａ〜７１１ｃが選択される。ここでは、リチウムイオン蓄電池７１１ｃが選択されたとする。つまり、リチウムイオン蓄電池７１１ａおよび７１１ｂは、補正対象外であるとする。次に、ステップＳ２において、図６に示すように、スイッチ７１２ａおよび７１２ｂがオフにされる。また、スイッチ７１２ｃは、オンのままになる。これにより、リチウムイオン蓄電池７１１ａおよび７１１ｂが、特定負荷６０から切り離される。また、リチウムイオン蓄電池７１１ｃは、特定負荷６０に接続されたままになる。このとき充放電制御ボックス７３のスイッチ７３ｃは、オンにされるとともに、スイッチ７３ａおよび７３ｂは、オフにされる。
【００４５】
次に、ステップＳ３において、リチウムイオン蓄電池７１１ｃから電力が放電される。なお、リチウムイオン蓄電池７１１ｃから放電される電力は、特定負荷６０に供給される。そして、ステップＳ４において、リチウムイオン蓄電池７１１ｃの放電が完了（完全放電）したか否かが判断される。なお、リチウムイオン蓄電池７１１ｃの放電が完了したか否かは、たとえばリチウムイオン蓄電池７１１ｃから放電される電圧を検出して、検出された電圧が規定値以下になった（略ゼロ）場合に放電が完了したと判断される。ステップＳ４において、リチウムイオン蓄電池７１１ｃの放電が完了しなかったと判断された場合には、ステップＳ４の動作が繰り返される。ここで、第１実施形態では、３つのリチウムイオン蓄電池７１１ａ〜７１１ｃのうちの１つのリチウムイオン蓄電池７１１ｃのみ放電を行うので、３つ全てで放電を行う場合の約１／３の時間で放電が完了する。そして、ステップＳ４において、リチウムイオン蓄電池７１１ｃの放電が完了したと判断された場合には、ステップＳ５に進んで、現在のリチウムイオン蓄電池７１１ｃの容量値が容量の下限値としてコントロールボックス７５に記録される。これにより、リチウムイオン蓄電池７１１ｃの容量の下限値が補正される。
【００４６】
次に、ステップＳ６に進んで、図７に示すように、スイッチ７１２ｃがオフにされた後に、スイッチ７１２ａおよび７１２ｂがオンにされる。これにより、リチウムイオン蓄電池７１１ａおよび７１１ｂが特定負荷６０に接続されるとともに、リチウムイオン蓄電池７１１ｃは、特定負荷６０から切り離される。また、この状態において、リチウムイオン蓄電池７１１ｃの充電量は、略ゼロである一方、リチウムイオン蓄電池７１１ａおよび７１１ｂには電力が充電されているので、停電などの非常時において、スイッチ７１２ｃをオフにして、スイッチ７１２ａおよび７１２ｂをオンにすれば、リチウムイオン蓄電池７１１ａおよび７１１ｂから特定負荷６０に電力を供給することが可能となる。
【００４７】
次に、ステップＳ７に進んで、図８に示すように、スイッチ７１２ａおよび７１２ｂがオフにされた後に、スイッチ７１２ｃがオンにされる。これにより、リチウムイオン蓄電池７１１ａおよび７１１ｂが、母線４から切り離されるとともに、リチウムイオン蓄電池７１１ｃが、母線４に接続される。この時、充放電制御ボックス７３のスイッチ７３ｃは、オフにされるとともに、スイッチ７３ａおよび７３ｂは、オンにされる。そして、ステップＳ８に進んで、リチウムイオン蓄電池７１１ｃが発電電力出力部２または電力系統５０により充電される。なお、リチウムイオン蓄電池７１１ｃは、昼間であれば、発電電力出力部２または電力系統５０により充電され、夜間であれば、電力系統５０により充電される。なお、ステップＳ６〜ステップＳ７は、リチウムイオン蓄電池７１１ｃの放電後に、特定負荷６０への電力供給が必要な場合に必要なステップであり、リチウムイオン蓄電池７１１ｃの放電後から充電までの間で、特定負荷６０への電力供給が必要でない場合は、省略が可能である。
【００４８】
そして、ステップＳ９において、リチウムイオン蓄電池７１１ｃの電圧がリチウムイオン蓄電池７１１ａおよび７１１ｂの電圧と等しいか否かが判断される。なお、ステップＳ９の動作は、リチウムイオン蓄電池７１１ｃの電圧がリチウムイオン蓄電池７１１ａおよび７１１ｂの電圧よりも小さい間繰り返し行われている。そして、リチウムイオン蓄電池７１１ｃの電圧がリチウムイオン蓄電池７１１ａおよび７１１ｂの電圧と等しいと判断された場合には、ステップＳ１０に進んで、スイッチ７１２ｃとともに、スイッチ７１２ａおよび７１２ｂがオンにされる（図５参照）。これにより、リチウムイオン蓄電池７１１ｃとともに、リチウムイオン蓄電池７１１ａおよび７１１ｂが母線４に接続される。
【００４９】
その後、リチウムイオン蓄電池７１１ａ〜７１１ｃが母線４または特定負荷６０に接続された状態で、通常運転時の動作が行われる。そして、通常運転時の動作の間においては、ステップＳ１１のリチウムイオン蓄電池７１１ｃが満充電（略完全に充電）になったか否かが判断されている。そして、リチウムイオン蓄電池７１１ｃが満充電になったと判断された場合には、ステップＳ１２に進んで、現在のリチウムイオン蓄電池７１１ｃの容量値が容量の上限値としてコントロールボックス７５に記録される。これにより、リチウムイオン蓄電池７１１ｃの容量値の上限値の補正が行われる。そして、リチウムイオン蓄電池７１１ｃの容量学習の動作が終了する。
【００５０】
なお、リチウムイオン蓄電池７１１ｃの容量学習の動作が終了した後には、補正対象外であったリチウムイオン蓄電池７１１ａおよびリチウムイオン蓄電池７１１ｂについて、順次、上記ステップＳ１〜Ｓ１２と同様の動作を行うことにより、リチウムイオン蓄電池７１１ａおよびリチウムイオン蓄電池７１１ｂの容量学習が行われる。これにより、全てのリチウムイオン蓄電池７１１ａ〜７１１ｃの容量学習が行われる。
【００５１】
第１実施形態では、上記のように、３つのリチウムイオン蓄電池７１１ａ〜７１１ｃのうちの一部のリチウムイオン蓄電池（たとえばリチウムイオン蓄電池７１１ｃ）を補正対象として母線４または特定負荷６０に接続するとともに、他のリチウムイオン蓄電池（たとえばリチウムイオン蓄電池７１１ａおよび７１１ｂ）を補正対象外として母線４または特定負荷６０から切り離した状態で、補正対象としてのリチウムイオン蓄電池７１１ｃを充放電させることにより、補正対象としてのリチウムイオン蓄電池７１１ｃの容量値を補正する。これにより、３つのリチウムイオン蓄電池７１１ａ〜７１１ｃを一斉に充放電させることにより容量値の補正を行う場合と異なり、リチウムイオン蓄電池７１１ｃの充放電（特に放電）に要する時間を短くすることができるので、停電時などの長時間にわたって放電を行うことが可能な時以外でも容易にリチウムイオン蓄電池７１１ｃの容量値の補正を行うことができる。また、補正対象としてのリチウムイオン蓄電池７１１ｃを放電させ、リチウムイオン蓄電池７１１ｃの容量値を補正することによって、補正対象外のリチウムイオン蓄電池７１１ａおよび７１１ｂには電力が保持されているので、リチウムイオン蓄電池７１１ｃが完全に放電された場合でも、リチウムイオン蓄電池７１１ａおよび７１１ｂから電力を供給することができる。
【００５２】
また、第１実施形態では、上記のように、コントロールボックス７５を、３つのリチウムイオン蓄電池７１１ａ〜７１１ｃを補正対象として順次容量値の補正を行うようにすることで、特定負荷６０の消費電力が小さい場合でも容量学習に要する時間を短縮することができる。
【００５３】
また、第１実施形態では、上記のように、コントロールボックス７５を、補正対象としてのリチウムイオン蓄電池（たとえばリチウムイオン蓄電池７１１ｃ）を略完全に放電させて、リチウムイオン蓄電池７１１ｃの容量の下限値を補正した後に、リチウムイオン蓄電池７１１ｃの充電を開始して、リチウムイオン蓄電池７１１ｃの電圧が補正対象外としてのリチウムイオン蓄電池（たとえばリチウムイオン蓄電池７１１ａおよび７１１ｂ）の電圧と略等しくなった場合に、リチウムイオン蓄電池７１１ｃとともにリチウムイオン蓄電池７１１ａおよび７１１ｂを特定負荷６０に接続するように構成する。これにより、リチウムイオン蓄電池７１１ａ〜７１１ｃの電圧が異なることに起因して、リチウムイオン蓄電池７１１ａ〜７１１ｃがショートして破損してしまうのを抑制することができる。
【００５４】
また、第１実施形態では、上記のように、コントロールボックス７５を、補正対象としてのリチウムイオン蓄電池（たとえばリチウムイオン蓄電池７１１ｃ）と補正対象外としてのリチウムイオン蓄電池（たとえばリチウムイオン蓄電池７１１ａおよび７１１ｂ）とが母線４に接続された状態で、リチウムイオン蓄電池７１１ｃを略完全に充電することにより、リチウムイオン蓄電池７１１ｃの容量の上限値を補正するように構成することによって、リチウムイオン蓄電池７１１ａ〜７１１ｃが電気的に接続されている通常運転時において、容易に、リチウムイオン蓄電池７１１ｃの容量の上限値を補正することができる。
【００５５】
また、第１実施形態では、上記のように、補正対象としてのリチウムイオン蓄電池（たとえばリチウムイオン蓄電池７１１ｃ）を、配線７ｂに接続される特定負荷６０に放電するように構成することによって、特定負荷６０を駆動させながら容量学習を行うことができる。
【００５６】
また、第１実施形態では、上記のように、補正対象としてのリチウムイオン蓄電池（たとえばリチウムイオン蓄電池７１１ｃ）を、母線４に接続される電力系統５０と発電電力出力部２とにより充電するように構成することによって、発電電力出力部２の発電電力が小さい場合でも、電力系統５０により容易に充電することができる。
【００５７】
（第２実施形態）
本発明の第２実施形態による蓄電システム１について説明する。この第２実施形態では、補正対象のリチウムイオン蓄電池が略完全に充電される前に３つのリチウムイオン蓄電池が接続される第１実施形態と異なり、３つのリチウムイオン蓄電池が略完全に充電されてから接続される。これ以外の発電システム１の構成は、第１実施形態と同様である。
【００５８】
第２実施形態による蓄電システム１では、コントロールボックス７５は、まず、補正対象としての一部のリチウムイオン蓄電池（たとえばリチウムイオン蓄電池７１１ｃ）を略完全に放電させて、リチウムイオン蓄電池７１１ｃの容量の下限値を補正するとともに、リチウムイオン蓄電池７１１ｃを略完全に充電してリチウムイオン蓄電池７１１ｃの容量の上限値を補正する。その後に、コントロールボックス７５は、補正対象外としての他のリチウムイオン蓄電池（たとえばリチウムイオン蓄電池７１１ａおよび７１１ｂ）を略完全に充電して、リチウムイオン蓄電池７１１ｃとともにリチウムイオン蓄電池７１１ａおよび７１１ｂを母線４に接続する。
【００５９】
次に、図９を参照して、本発明の第２実施形態による蓄電ユニット７のリチウムイオン蓄電池７１１ａ〜７１１ｃの容量学習の動作について説明する。
【００６０】
第２実施形態のリチウムイオン蓄電池７１１ａ〜７１１ｃの容量学習のステップＳ１〜ステップＳ８の動作は、上記第１実施形態によるリチウムイオン蓄電池７１１ａ〜７１１ｃの容量学習の動作（図４参照）と同様である。
【００６１】
第２実施形態では、補正対象であるリチウムイオン蓄電池７１１ｃの放電が完了した後、ステップＳ８において、リチウムイオン蓄電池７１１ｃの充電が開始される。そして、ステップＳ１９において、リチウムイオン蓄電池７１１ｃが満充電になったか（略完全に充電されたか）否かが判断される。ステップＳ１９において、リチウムイオン蓄電池７１１ｃが満充電になっていないと判断された場合には、ステップＳ１９の動作が繰り返される。そして、ステップＳ１９において、リチウムイオン蓄電池７１１ｃが満充電になっていると判断された場合には、ステップＳ２０に進んで、リチウムイオン蓄電池７１１ｃの容量値が容量の上限値としてコントロールボックス７５に記録される。そして、リチウムイオン蓄電池７１１ｃの容量の上限値と下限値との補正が終わった後、ステップＳ２１において、スイッチ７１２ｃをオフ、スイッチ７１２ａ、７１２ｂをオンにすることで、リチウムイオン蓄電池７１１ａおよび７１１ｂが充電される。そして、ステップＳ２２において、リチウムイオン蓄電池７１１ａおよび７１１ｂが満充電になったか否かが判断される。ステップＳ２２において、リチウムイオン蓄電池７１１ａおよび７１１ｂが満充電になったと判断された場合には、ステップＳ２３に進んで、蓄電池７１のスイッチ７１２ａ〜７１２ｃが全てオンにされることにより、リチウムイオン蓄電池７１１ａ〜７１１ｃが母線４または特定負荷６０に接続される。なお、リチウムイオン蓄電池７１１ａおよび７１１ｂについても、それぞれ１つずつ、リチウムイオン蓄電池７１１ｃと同様の動作により、容量学習が行われる。
【００６２】
第２実施形態では、コントロールボックス７５は、リチウムイオン蓄電池７１１ａ〜７１１ｃの電圧を比較する必要がないので、容量学習の動作を簡略化することができる。
【００６３】
なお、第２実施形態のその他の効果は、上記第１実施形態と同様である。
【００６４】
（第３実施形態）
次に、図１０を参照して、本発明の第３実施形態による蓄電システム１ａについて説明する。この第３実施形態では、上記発電電力出力部２が母線４を介して電力系統５０に接続されていた第１および第２実施形態と異なり、発電電力出力部２が蓄電部７１に直接接続されている。
【００６５】
本発明の第３実施形態による蓄電システム１ａは、図１０に示すように、太陽光を用いて発電した電力を出力する発電電力出力部２が、電力系統５０に接続される母線４には接続されずに配線７ｃを介して蓄電ユニット７に直接接続されている。そして、発電電力出力部２によって発電された電力は、一旦、全て蓄電部７１に蓄積された後、特定負荷６０に供給される。つまり、発電電力出力部２によって発電された電力は、一般負荷７０には、直接供給されない。これにより、蓄電システム１ａでは、発電電力出力部２によって発電された直流出力を交流出力に変換するためのインバータ３（図１参照）は設けられない。
【００６６】
また、蓄電部７１には、電力系統５０からも電力が供給可能に構成されており、リチウムイオン蓄電池７１１ａ〜７１１ｃの容量学習の際などには、発電電力出力部２によって発電された電力または電力系統５０から供給される電力により、リチウムイオン蓄電池７１１ａ〜７１１ｃが充電される。なお、第３実施形態のその他の構成および効果は、上記第１および第２実施形態と同様である。
【００６７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６８】
たとえば、上記第１〜第３実施形態では、蓄電部７１に３つのリチウムイオン蓄電池７１１ａ〜７１１ｃが設けられる例を示したが、本発明はこれに限らず、蓄電部７１に２つのリチウムイオン蓄電池が設けられていてもよいし、４つ以上のリチウムイオン蓄電池が設けられていてもよい。
【００６９】
また、上記第１〜第３実施形態では、３つのリチウムイオン蓄電池７１１ａ〜７１１ｃを１つずつ容量補正する例を示したが、本発明はこれに限らず、３つのリチウムイオン蓄電池７１１ａ〜７１１ｃのうち、２つのリチウムイオン蓄電池を同時に容量補正するようにしてもよい。
【００７０】
また、上記第１〜第３実施形態では、リチウムイオン蓄電池７１１ａ〜７１１ｃの定格電圧が略等しい例を示したが、本発明はこれに限らない。たとえば、図１１に示す変形例のように、リチウムイオン蓄電池の一部（たとえばリチウムイオン蓄電池７１１ａ）の充電可能な電圧がリチウムイオン蓄電池７１１ｂおよび７１１ｃの充電可能な電圧と異なっていてもよい。この場合、リチウムイオン蓄電池７１１ａとスイッチ７１２ａとの間にＤＣ−ＤＣコンバータ７１３を設けることにより、ＤＣ−ＤＣコンバータ７１３により変換された電圧と、リチウムイオン蓄電池７１１ｂおよび７１１ｃの電圧とが略等しくされる。
【００７１】
また、上記第１〜第３実施形態では、発電電力出力部と電力系統との両方から蓄電池に充電をすることが可能な例を示したが、本発明はこれに限らず、発電電力出力部または電力系統のうちの一方のみを設けて、発電電力出力部または電力系統の一方のみから蓄電池に充電をするようにしてもよい。
【００７２】
また、上記第１〜第３実施形態では、３つのリチウムイオン蓄電池の容量学習が３ヶ月のうちの３日間に連続して行われる例を示したが、本発明はこれに限らない。たとえば、３つのリチウムイオン蓄電池の容量学習を１ヶ月毎に１つずつ行ってもよい。また、ユーザの指定した日に容量学習を行うようにしてもよい。
【００７３】
また、上記第１〜第３実施形態では、太陽光発電モジュールによって発電を行う例について説明したが、本発明はこれに限らず、発電モジュールとして他の直流発電装置あるいは風力発電装置などの他の再生可能エネルギーを用いて発電する発電モジュールを用いてもよい。
【００７４】
また、上記第１〜第３実施形態では、蓄電部としてリチウムイオン蓄電池を用いる例を示したが、本発明はこれに限らず、他の２次電池を用いてもよい。たとえば、ニッケル水素蓄電池などの蓄電池を用いてもよい。
【００７５】
また、上記第１〜第３実施形態では、特定負荷６０の例として交流電源で駆動させる機器を示したが、直流電源で駆動される機器を用いてもよい。この場合、蓄電部７１と特定負荷６０との間には、直流から交流に変換するインバータ７４ａに代えて直流と直流との電圧変換を行うＤＣ−ＤＣコンバータが用いられる。或いは、蓄電部７１と特定負荷６０との間が直接接続される。さらに、特定負荷６０として、直流負荷および交流負荷が混在してもよい。
【００７６】
また、第１実施形態では、補正対象のリチウムイオン蓄電池の下限値を補正した後に、補正対象外のリチウムイオン蓄電池を電気的に接続してから、補正対象のリチウムイオン蓄電池の上限値を補正する例を示したが、本発明はこれに限らない。たとえば、補正対象のリチウムイオン蓄電池の上限値を補正した後に、補正対象のリチウムイオン蓄電池の放電を行い、補正対象のリチウムイオン蓄電池の電圧が、補正対象外のリチウムイオン蓄電池の電圧と略等しくなったときに、補正対象のリチウムイオン蓄電池と補正対象外のリチウムイオン蓄電池とを電気的に接続するようにしてもよい。
【００７７】
また、第３実施形態では、蓄電部７１に電力系統５０からの充電が可能であり、かつ、蓄電部７１に蓄電された電力は母線４側に放電できない例を示したが、本発明はこれに限らず、たとえば蓄電部７１に電力系統５０からの充電が行えずに、蓄電部７１に蓄積された電力が母線４側に放電可能に構成してもよい。
【図１】
2011122592.tif 000003
【図２】
2011122592.tif 000004
【図３】
2011122592.tif 000005
【図４】
2011122592.tif 000006
【図５】
2011122592.tif 000007
【図６】
2011122592.tif 000008
【図７】
2011122592.tif 000009
【図８】
2011122592.tif 000010
【図９】
2011122592.tif 000011
【図１０】
2011122592.tif 000012
【図１１】
2011122592.tif 000013
【国際調査報告】
2011122592.tif 000014
2011122592.tif 000015
2011122592.tif 000016